(57)【特許請求の範囲】
【請求項１】
計数すべき硬貨の金種を設定する金種設定部と、
計数する動作形態を選択するモード切換部と、
外部から少なくとも金種情報とシュート部材位置情報を受け付ける情報受付手段と、
設定された金種情報、動作形態と前記情報受付手段によって受け付けた情報とを照合し、一致する場合には当該設定金種の硬貨の計数動作を実行し、一致しない場合には計数動作を禁止する制御部と
を具備していることを特徴とする硬貨計数機。
【請求項２】
前記制御部は、計数動作中に前記一致関係に変化が生じた場合、計数動作を停止させる
ことを特徴とする請求項１記載の硬貨計数機。
【請求項３】
計数すべき硬貨の金種を設定可能な硬貨計数機であって、
外部から金種情報を受け付ける金種情報受付手段と、
この金種情報受付手段によって受け付けた金種情報に基づき計数すべき硬貨の金種を設定して計数動作を実行する制御部と
を具備していることを特徴とする硬貨計数機。
【請求項４】
外部から金種情報を必要とせずに計数動作する計数モードを設定する計数モード設定手段を具備している
ことを特徴とする請求項１ないし３いずれか記載の硬貨計数機。
【請求項５】
請求項１ないし４いずれか記載の硬貨計数機を載置し、通信可能に接続されるとともに、金種特定情報を有するカセット金庫が装着されるカセット装着部を有するカセット装着機本体と、
前記カセット装着部に装着される前記カセット金庫の金種特定情報を読み取る金種読取手段と、
前記硬貨計数機から払い出される硬貨を前記カセット装着機本体の内部に案内する案内位置とその案内位置から退避する退避位置との間を移動可能なシュート部材と、
このシュート部材の位置を検知する位置検知手段と、
前記金種読取手段で読み取った金種情報と前記位置検知手段で検知したシュート部材位置情報を前記硬貨計数機に通知する情報通知手段と
を具備していることを特徴とするカセット装着機。
【請求項６】
投入された硬貨を計数する硬貨計数部と、
計数すべき硬貨の金種を設定する金種設定部と、
計数する動作形態を選択するモード切換部と、
金種特定情報を有するカセット金庫が装着されるカセット装着部を有するカセット装着機本体と、
前記カセット装着部に装着される前記カセット金庫の金種特定情報を読み取る金種読取手段と、
前記硬貨計数部から払い出される硬貨を前記カセット装着機本体の内部に案内する案内位置とその案内位置から退避する退避位置との間を移動可能なシュート部材と、
このシュート部材の位置を検知する位置検知手段と、
外部から少なくとも金種情報とシュート部材位置情報を受け付ける情報受付手段と、
前記金種設定部で設定された金種情報、前記モード切換部で選択された動作形態、前記金種読取手段で読み取った金種情報、前記位置検知手段で検知したシュート部材位置情報を照合し、一致する場合には当該設定金種の硬貨の計数動作を実行し、一致しない場合には計数動作を禁止する制御部と
を具備していることを特徴とする硬貨計数収納装置。
【発明の詳細な説明】
【技術分野】
【０００１】
本発明は、硬貨を計数する硬貨計数機、この硬貨計数機に対応したカセット装着機、および硬貨計数収納装置に関する。
【背景技術】
【０００２】
従来、券売機では、硬貨の釣銭を準備するために、金種毎のカセット金庫を用いて複数金種の硬貨を装填している（例えば、特許文献１参照。）。そして、これらカセット金庫に金種毎に所定枚数の硬貨を収納させるために、硬貨を金種毎に所定枚数計数する硬貨計数機を用いている。
【０００３】
この硬貨計数機では、ホッパに硬貨を投入し、金種を設定してスタートさせると、ホッパ内の硬貨が繰り出されて識別され、設定金種の硬貨だけが払出口から払い出される。設定金種以外の硬貨は、リジェクトボックスに回収される。
【０００４】
そして、例えば、１００円用カセット金庫に釣銭を収納する場合には、硬貨計数機の金種設定部を操作して１００円を設定してスタートし、払出口から払い出される１００円硬貨を１００円用カセット金庫に収納する。この１００円用カセット金庫に所定枚数の硬貨が収納されれば、この１００円用カセット金庫を券売機に装着する。
【特許文献１】特開２００３−３０７０８号公報（第３−４頁、図３）
【発明の開示】
【発明が解決しようとする課題】
【０００５】
しかしながら、カセット金庫の金種確認を目視で行い、かつ硬貨計数機の金種設定を手動で行っているため、人為的ミスにより、カセット金庫に誤った金種の硬貨が収納され、そのまま券売機に装着されると、券売機から誤った金種の硬貨が払い出されるおそれがある。
【０００６】
例えば、１００円硬貨を補充しようとして、１００円用カセットを準備しているのにもかかわらず、操作ミスや前の処理の設定変更忘れなどによって硬貨計数機の金種設定が１０円硬貨だった場合、１００円用カセット金庫に１０円硬貨が収納される。その１００円用カセット金庫を券売機に装着したとすると、その後の取引において、釣銭として１００円硬貨を払い出すべきところを１０円硬貨を払い出してしまう。なお、異金種硬貨を排除する機能を備えた券売機の場合は、カセット金庫内に１０円硬貨が全て排出されてしまうので、やはり、正常な釣銭は投出されない。
【０００７】
本発明は、このような点に鑑みなされたもので、正しい金種の硬貨を計数できる硬貨計数機、カセット装着機および硬貨計数収納装置を提供することを目的とする。
【課題を解決するための手段】
【０００８】
請求項１記載の硬貨計数機は、計数すべき硬貨の金種を設定する金種設定部と、計数する動作形態を選択するモード切換部と、外部から少なくとも金種情報とシュート部材位置情報を受け付ける情報受付手段と、設定された金種情報、動作形態と前記情報受付手段によって受け付けた情報とを照合し、一致する場合には当該設定金種の硬貨の計数動作を実行し、一致しない場合には計数動作を禁止する制御部とを具備しているものである。
【０００９】
請求項２記載の硬貨計数機は、請求項１記載の硬貨計数機において、前記制御部は、計数動作中に前記一致関係に変化が生じた場合、計数動作を停止させるものである。
【００１０】
請求項３記載の硬貨計数機は、計数すべき硬貨の金種を設定可能な硬貨計数機であって、外部から金種情報を受け付ける金種情報受付手段と、この金種情報受付手段によって受け付けた金種情報に基づき計数すべき硬貨の金種を設定して計数動作を実行する制御部とを具備しているものである。
【００１１】
請求項４記載の硬貨計数機は、請求項１ないし３いずれか記載の硬貨計数機において、外部から金種情報を必要とせずに計数動作する計数モードを設定する計数モード設定手段を具備しているものである。
【００１２】
請求項５記載のカセット装着機は、請求項１ないし４いずれか記載の硬貨計数機を載置し、通信可能に接続されるとともに、金種特定情報を有するカセット金庫が装着されるカセット装着部を有するカセット装着機本体と、前記カセット装着部に装着される前記カセット金庫の金種特定情報を読み取る金種読取手段と、前記硬貨計数機から払い出される硬貨を前記カセット装着機本体の内部に案内する案内位置とその案内位置から退避する退避位置との間を移動可能なシュート部材と、このシュート部材の位置を検知する位置検知手段と、前記金種読取手段で読み取った金種情報と前記位置検知手段で検知したシュート部材位置情報を前記硬貨計数機に通知する情報通知手段とを具備しているものである。
【００１３】
請求項６記載の硬貨計数収納装置は、投入された硬貨を計数する硬貨計数部と、計数すべき硬貨の金種を設定する金種設定部と、計数する動作形態を選択するモード切換部と、金種特定情報を有するカセット金庫が装着されるカセット装着部を有するカセット装着機本体と、前記カセット装着部に装着される前記カセット金庫の金種特定情報を読み取る金種読取手段と、前記硬貨計数部から払い出される硬貨を前記カセット装着機本体の内部に案内する案内位置とその案内位置から退避する退避位置との間を移動可能なシュート部材と、このシュート部材の位置を検知する位置検知手段と、外部から少なくとも金種情報とシュート部材位置情報を受け付ける情報受付手段と、前記金種設定部で設定された金種情報、前記モード切換部で選択された動作形態、前記金種読取手段で読み取った金種情報、前記位置検知手段で検知したシュート部材位置情報を照合し、一致する場合には当該設定金種の硬貨の計数動作を実行し、一致しない場合には計数動作を禁止する制御部とを具備しているものである。
【発明の効果】
【００１４】
請求項１記載の硬貨計数機によれば、設定された金種情報、動作形態と外部から受け付けた金種情報、シュート部材位置情報とを照合し、一致する場合には当該設定金種の硬貨の計数動作を実行し、一致しない場合には計数動作を禁止するため、外部からの要求に一致した正しい金種の硬貨を計数できる。
【００１５】
請求項２記載の硬貨計数機によれば、請求項１記載の硬貨計数機の効果に加えて、計数動作中に一致関係に変化が生じた場合、計数動作を停止させることができる。
【００１６】
請求項３記載の硬貨計数機によれば、外部から受け付けた金種情報に基づき、計数すべき硬貨の金種を設定して計数動作を実行するため、外部からの要求に一致した正しい金種の硬貨を計数できる。
【００１７】
請求項４記載の硬貨計数機によれば、請求項１ないし３いずれか記載の硬貨計数機の効果に加えて、計数モードを設定できるため、外部から金種情報を必要とせずに、硬貨を計数できる。
【００１８】
請求項５記載のカセット装着機によれば、カセット装着部に装着されるカセット金庫の金種特定情報を読み取った金種情報とシュート部材の位置情報を硬貨計数機に通知するため、硬貨計数機では、設定された金種情報、動作形態とカセット装着機から通知された金種情報、シュート部材位置情報との照合が可能となり、一致する場合には当該設定金種の硬貨の計数動作を実行し、一致しない場合には計数動作を禁止できるため、カセット金庫の金種に一致した正しい金種の硬貨を計数させることができる。
【００１９】
請求項６記載の硬貨計数収納装置によれば、金種設定部で設定された金種情報、モード切換部で選択された動作形態、金種読取手段で読み取った金種情報、位置検知手段で検知したシュート部材位置情報を照合し、一致する場合には当該設定金種の硬貨の計数動作を実行し、一致しない場合には計数動作を禁止するため、カセット金庫の金種に一致した正しい金種の硬貨を計数させることができる。
【発明を実施するための最良の形態】
【００２０】
以下、本発明の一実施の形態を、図面を参照して説明する。
【００２１】
図２に示すように、11は硬貨計数システムで、この硬貨計数システム11は、硬貨計数機12とカセット装着機13とで構成され、カセット装着機13に装着されるカセット金庫14に硬貨計数機12で計数した硬貨を収納させる。
【００２２】
まず、カセット金庫14は、例えば券売機に釣銭を装填するためのもので、券売機の機種に応じて第１種類のカセット金庫14aとこの第１種類のカセット金庫14aよりも高さが低く幅が広い第２種類のカセット金庫14bとの２種類があり、さらに、これらカセット金庫14a，14bにも収納する金種別に例えば金種Ａと金種Ｂとの２種類がある。
【００２３】
いずれの種類のカセット金庫14も、上面には、収納する硬貨を受け入れる開口部17が形成され、この開口部17をスライド開閉するシャッタ18が配設されている。シャッタ18は、閉鎖位置で鍵により施錠、解錠可能となっている。
【００２４】
カセット金庫14には、該当する金種を特定するための金種特定情報が付与されている。図６(a)(b)に示すように、第１種類のカセット金庫14aは、先端面に設けられるスリット19の高さ位置が金種Ａと金種Ｂとで異なるよう設けられている。図７(a)(b)に示すように、第２種類のカセット金庫14bは、先端面に設けられる孔20の位置が金種Ａと金種Ｂとで異なるように設けられている。
【００２５】
そして、カセット金庫14を券売機に装着する際には、カセット金庫14の上下をひっくり返して券売機に装着し、錠操作のうえ、手動でシャッタ18を開放することにより、カセット金庫14内の硬貨を開口部17から流出させて券売機へ補充する。
【００２６】
また、硬貨計数機12は、硬貨計数機本体23を備え、この硬貨計数機本体23の上面に計数する硬貨を投入するホッパ24が設けられている。硬貨計数機12内にはホッパ24から導かれる硬貨を計数して払い出す硬貨計数部が配設されている。この硬貨計数部では、回転円板によりホッパ24から導かれる硬貨を１枚ずつ搬送通路へ繰り出して搬送し、この搬送通路上に設けた識別センサ（図１参照）により硬貨の金種を識別する。搬送通路の終端は、硬貨計数機12の前部に下方へ向けて開口形成されていて計数した硬貨を払い出す硬貨払出口25に通じている。硬貨通路の途中には設定金種以外の硬貨、偽造硬貨、識別不能硬貨などの所定の硬貨を排除するリジェクト部（図１参照）を備え、このリジェクト部は硬貨計数機12の右側面に形成された硬貨リジェクト口に通じている。
【００２７】
硬貨計数機12の前部上面には操作部26および表示部27が設けられている。この操作部26としては、計数すべき金種を設定する金種設定部28、枚数設定ボタン、スタート／ストップボタン、計数モード設定手段としてのモード切換ボタン29、クリアボタンなどがある。表示部27では、設定金種、および設定計数枚数などを表示する。
【００２８】
金種設定部28は、計数する金種に合わせて回動操作する金種設定摘み31で構成されている。図４(a)(b)に示すように、金種設定摘み31で設定される金種を識別するための設定金種識別部32を備えている。この設定金種識別部32では、金種設定摘み31の周縁部で周方向に所定の間隔をあけた２箇所から２つの検知片33が突設され、この金種設定摘み31の周囲で周方向に２つの検知片33と同じ間隔をあけて第１センサ34と第２センサ35とが配置されている。
【００２９】
図４(a)に示すように、金種設定摘み31を金種Ａに設定することにより、第１センサ34のみが一方の検知片33を検知してオンとなり、図４(b)に示すように、金種設定摘み31を金種Ｂに設定することにより、両センサ34，35が両検知片33を検知してオンとなる。すなわち、図５に示すように、第１センサ34がオン、第２センサ35がオフで金種Ａと識別し、両センサ34，35ともオンで金種Ｂと識別する。金種設定摘み31の金種Ａおよび金種Ｂの位置以外の回動位置では両センサ34，35ともオフする。
【００３０】
また、カセット装着機13は、カセット装着機本体38を備え、このカセット装着機本体38の上面に硬貨計数機12を載置する載置台39が設けられている。
【００３１】
カセット装着機本体38の前面にカセット装着口40が形成され、このカセット装着口40の内側でカセット装着機本体38の内部にカセット金庫14がカセット装着口40を通じて前後方向に着脱可能に装着されるカセット装着部41が形成されている。図８(a)(b)(c)に示すように、このカセット装着部41の一側下部には規制部42が前後方向に沿って設けられ、この規制部42の側部に第１種類のカセット金庫14aが装着され、規制部42の上部に第２種類のカセット金庫14bが装着される。規制部42の側部でカセット装着部41の底部には第１種類のカセット金庫14aの底部側の着脱移動をガイドするガイド部43が前後方向に沿って取り付けられ、規制部42の上部には第２種類のカセット金庫14bの底部側の着脱移動をガイドするガイド部43が前後方向に沿って取り付けられ、さらに、カセット装着部41の両側面上部側には各カセット金庫14a，14bの上部側の着脱移動をガイドするガイド部43が前後方向に沿って取り付けられている。これらガイド部43は、カセット装着部41に装着された各カセット金庫14a，14bを位置決めする位置決め手段としても機能する。
【００３２】
カセット装着部41には、装着されたカセット金庫14の金種特定情報およびカセット種類を読み取る金種読取手段としての金種読取部44が配設されている。この金種読取部44は、第１種類のカセット金庫14aのスリット19の位置を検知するスリット検知部45、第２種類のカセット金庫14bの孔20の位置を検知する孔検知部46、第１種類のカセット金庫14aを装着した際に検知するサイズ検知部47を有している。すなわち、図９に示すように、スリット検知部45がオン、孔検知部46がオン、サイズ検知部47がオンであれば第１種類のカセット金庫14aの金種Ａであると判別し、スリット検知部45がオフ、孔検知部46がオン、サイズ検知部47がオンであれば第１種類のカセット金庫14aの金種Ｂであると判別する。また、スリット検知部45がオン、孔検知部46がオン、サイズ検知部47がオフであれば第２種類のカセット金庫14bの金種Ａであると判別し、スリット検知部45がオン、孔検知部46がオフ、サイズ検知部47がオフであれば第２種類のカセット金庫14bの金種Ｂであると判別する。さらに、スリット検知部45がオフ、孔検知部46がオフ、サイズ検知部47がオフであればカセット金庫未装着であると判別する。
【００３３】
カセット装着機本体38の上面でカセット装着部41の上側位置には、硬貨計数機12から払い出される硬貨を受け入れる硬貨受入口49が形成されている。この硬貨受入口49は、シャッタ18を開いた各カセット金庫14a，14bをカセット装着部41に装着した状態で、それら各カセット金庫14a，14bの開口部17の上方に位置し、硬貨計数機12から払い出される硬貨を開口部17から各カセット金庫14a，14b内に収納可能とする。また、硬貨受入口49は、硬貨計数機12の硬貨払出口の略直下位置に配置されている。
【００３４】
図２および図３に示すように、載置台39の前面には、シュート部材51がレール機構52によって左右方向にスライド可能に取り付けられている。このシュート部材51は、硬貨計数機12の硬貨払出口25の真下位置でその硬貨払出口25から払い出される硬貨をカセット装着機13の硬貨受入口49からカセット装着部41内に案内する案内位置と、その案内位置から左側方に退避する退避位置との間を移動可能としている。シュート部材51が退避位置に移動することにより、硬貨払出口25の下方に空間ができ、その硬貨払出口25から払い出される硬貨を袋53に収納する袋取りを可能としている。硬貨払出口25には袋53を取付可能としている。
【００３５】
このシュート部材51が案内位置に位置するのか退避位置に位置するのかを検知するシュート部材位置検知センサ（図１参照）を備えている。
【００３６】
次に、図１は硬貨計数システム11のブロック図を示す。
【００３７】
硬貨計数機12は、この硬貨計数機12の動作制御を行う制御部61を備え、この制御部61には、ホッパ24内の硬貨の有無を検知する有無検知センサ62、硬貨計数部の回転円板や搬送通路の搬送手段を駆動する駆動モータ63、搬送通路の硬貨を識別する識別センサ64、搬送通路から設定金種以外の硬貨を排除するリジェクト部65、計数すべき金種を設定する金種設定部28、各種操作を行う操作部26、各種表示を行う表示部27、カセット装着機13と通信する通信部66、および電源供給を行う電源部67が接続されている。
【００３８】
通信部66は、カセット装着機13から通知されるカセット金庫14の金種情報を受け付ける金種情報受付手段として機能する。
【００３９】
制御部61は、金種設定部28にて設定された金種情報とカセット装着機13から通知されるカセット金庫14の金種情報とを照合し、一致する場合には当該設定金種の硬貨の計数動作を実行し、一致しない場合には計数動作を禁止する機能を有している。
【００４０】
表示部27は、制御部61により、金種設定部28にて設定された金種情報とカセット装着機13から通知されるカセット金庫14の金種情報とを照合した結果、金種情報が一致しない場合に表示によって警報を発する警報手段の一部として機能する。警報手段としては、ブザー音や音声案内によって警報してもよい。
【００４１】
操作部26が有するモード切換ボタン29の操作により、金種設定部28にて設定された金種情報とカセット装着機13から通知されるカセット金庫14の金種情報との照合を伴う通常モードと、金種情報の照合を伴わずに設定金種の硬貨を計数する計数モード（袋取りモード）とを切り換えることができる。
【００４２】
また、カセット装着機13は、このカセット装着機13の動作制御を行う制御部71を備え、この制御部71には、カセット金庫14の金種特定情報を読み取る金種読取部44、シュート部材51の位置を検知するシュート部材位置検知手段としてのシュート部材位置検知センサ72、硬貨計数機12と通信する通信部73が接続されている。
【００４３】
通信部73は、金種読取部44で読み取った金種情報を硬貨計数機12に通知する金種情報通知手段として機能する。
【００４４】
次に、硬貨計数システム11の動作を図１０のフローチャートを参照して説明する。
【００４５】
硬貨計数システム11を用いた作業の内容としては、券売機のカセット金庫14に所定枚数の釣銭硬貨を投入して釣銭として準備する釣銭準備作業と、カセット金庫14に入れなかった硬貨を袋53に計数して保管する袋取り保管作業とがある。
【００４６】
まず、釣銭準備作業について説明する。
【００４７】
硬貨計数機12の電源をオンすることにより（ステップ１）、硬貨計数機12がイニシャル処理した後（ステップ２）、待機状態となる（ステップ３）。この電源オンの直後の待機状態では通常モードが自動的に設定される。
【００４８】
そして、作業者により、釣銭として準備する金種の硬貨を硬貨計数機12のホッパ24に投入し、硬貨計数機12の金種設定摘み31を計数する金種に合わせ、カセット金庫14へ投入したい硬貨の枚数を入力する。
【００４９】
さらに、作業者により、カセット金庫14をカセット装着機13のカセット装着部41に差し込んで装着し、カセット金庫14の鍵を回してシャッタ18を開ける。また、硬貨計数機12の硬貨払出口25の下方の案内位置にシュート部材51が配置されていることを目視で確認する。
【００５０】
その後、作業者により、硬貨計数機12の操作部26のスタートボタンを操作する。
【００５１】
カセット装着機13では、カセット金庫14が装着された際に、金種読取部44でカセット金庫14の金種情報を取得し、このカセット金庫14の金種情報を硬貨計数機12に通知している。
【００５２】
硬貨計数機12では、スタートボタンの操作により、金種設定摘み31で設定された金種情報とカセット装着機13から通知されたカセット金庫14の金種情報とを照合する（ステップ４の一致）。
【００５３】
照合の結果、金種情報が一致している場合には、通常モードで硬貨計数機12の硬貨計数部によるホッパ24内の硬貨の計数、払い出し動作を開始する（ステップ５）。硬貨計数部では、回転円板によりホッパ24から導かれる硬貨を１枚ずつ搬送通路へ繰り出して搬送し、この搬送通路上に設けた識別センサ64により硬貨の金種を識別する。該当金種の硬貨は搬送通路の終端に搬送して硬貨払出口25から払い出す。硬貨払出口25から払い出された硬貨は、シュート部材51、カセット装着機13の硬貨受入口49を通じて、シャッタ18の開放されている開口部17からカセット金庫14内に収納される。
【００５４】
識別センサ64での識別により、設定金種以外の硬貨、偽造硬貨、識別不能硬貨などがあった場合は、リジェクト部65で排除してリジェクト口に払い出す。
【００５５】
この計数、払い出し動作中に、例えば、誤って金種設定摘み31に触れて金種の設定位置がずれたり、誤ってカセット金庫14が抜き外されようとして、設定された金種情報とカセット金庫14の金種情報との金種一致関係が変化した場合は（ステップ５のストップ押下または金種一致関係の変化）、異常と判断し、強制的に計数、払い出し動作を停止する（ステップ６）。この異常と判断して停止した場合には、例えば操作部26のクリアボタンの操作で解除する。また、操作部26のストップボタンが操作された場合にも強制的に計数、払い出し動作を停止する。
【００５６】
設定枚数の硬貨が計数されると、計数、払い出し動作を停止する（ステップ５の計数終了）。
【００５７】
そして、操作者により、カセット金庫14の鍵を回してシャッタ18を閉じ、カセット金庫14をカセット装着機13のカセット装着部41から引き出す。これでカセット金庫14への釣銭の投入が完了し、つまり釣銭準備が完了する。
【００５８】
釣銭準備が完了したカセット金庫14を券売機に装填し、乗車券の購入時における釣銭硬貨として利用する。
【００５９】
一方、照合の結果、金種情報が一致していない場合には（ステップ４の不一致）、計数、払い出し動作は行わず、金種設定摘み31で設定する金種とカセット金庫14の金種とが不一致であることを表示部27で警報表示する（ステップ７）。このとき、同時に警告音を発するようにしてもよい。
【００６０】
なお、カセット装着機13にカセット金庫14が装着されているにも関わらず（金種情報有り）、シュート部材位置検知センサ72でシュート部材51が退避位置にあることを検知している場合は、設定されている金種情報とカセット金庫14の金種情報との照合結果が一致していてスタートボタンが操作されたとしても、計数、払い出し動作を実行しない。これにより、シュート部材51を案内位置に移動させるのを忘れた状態で、硬貨払出口25から払い出される硬貨が床などに散乱してしまうのを防止できる。
【００６１】
次に、袋取り保管作業について説明する。
【００６２】
作業者により、袋取りしたい金種の硬貨を硬貨計数機12のホッパ24に投入し、硬貨計数機12の金種設定摘み31を計数する金種に合わせ、硬貨計数機12のモード切換ボタン29を押して計数モード（袋取りモード）に設定する（ステップ８）。
【００６３】
さらに、操作者により、図３に示すように、シュート部材51を硬貨計数機12の硬貨払出口25の下方の案内位置から側方の退避位置に退避させ、硬貨払出口25に袋53を取り付ける。
【００６４】
その後、操作者により、硬貨計数機12の操作部26のスタートボタンを操作する。
【００６５】
硬貨計数機12では、計数モード（袋取りモード）での待機中（ステップ８）に、スタートボタンが操作されることにより、計数モード（袋取りモード）で硬貨計数機12の硬貨計数部によるホッパ24内の硬貨の計数、払い出し動作を開始する（ステップ９）。
【００６６】
ホッパ24内の全ての硬貨の計数、払い出し動作が完了すれば（ステップ９の計数終了）、計数モードのまま待機中となる。
【００６７】
そして、作業者により、袋53を硬貨払出口25から取り外す。これで硬貨の袋取り保管作業が完了する。
【００６８】
また、この計数モード（袋取りモード）での計数、払い出し動作中に、操作部26のストップボタンが操作された場合（ステップ９のストップ押下）、強制的に計数、払い出し動作を停止し（ステップ10）、計数モードのまま待機中となる。
【００６９】
また、この計数モード（袋取りモード）での計数、払い出し動作中に、カセット装着機13のカセット装着部41にカセット金庫14が装着されて金種読取部44での金種読取状態が変化した場合（ステップ９のカセット状態変化）、強制的に計数、払い出し動作を停止し（ステップ11）、通常モードに戻る。
【００７０】
また、計数モード（袋取りモード）での待機中に、硬貨計数機12のモード切換ボタン29を押して通常モードに設定するか、カセット装着機13のカセット装着部41にカセット金庫14が装着されて金種読取部44での金種読取状態が変化した場合（ステップ９のカセット状態変化）、通常モードでの待機状態となる。
【００７１】
なお、カセット装着機13のシュート部材位置検知センサ72でシュート部材51が退避位置にあることを検知している場合は、カセット装着機13からのカセット金庫14の金種情報にかかわらず、あるいは、カセット装着機13からカセット金庫14の金種情報を送らないように制御して、硬貨計数機12の金種設定摘み31で設定される金種情報に基づいて計数し、袋取り保管作業を実行してもよい。
【００７２】
このように、硬貨計数システム11では、硬貨計数機12で設定された金種情報とカセット装着機13から通知されたカセット金庫14の金種情報とを照合し、一致する場合には当該設定金種の硬貨の計数動作を実行し、一致しない場合には計数動作を禁止するため、カセット金庫14の金種に一致した正しい金種の硬貨を計数してカセット金庫14に収納できる。そのため、券売機から誤った金種の硬貨が払い出されるのを確実に防止できる。
【００７３】
また、金種情報が一致しない場合に警報を発し、金種に誤りがあることを知らせることができる。
【００７４】
また、計数モード（袋取りモード）を設定できるため、カセット装着機13から金種情報を用いずに、硬貨を計数できる。
【００７５】
なお、硬貨計数機12は、カセット装着機13から受け付けたカセット金庫14の金種情報を正として計数すべき硬貨の金種に自動設定し、当該金種の硬貨を計数するようにしてもよい。この場合、硬貨計数機12での金種設定が不用で、誤った金種設定を防止できる。
【００７６】
また、カセット金庫14の金種特定情報としては、カセット金庫14に設けたスリット19や孔20以外に、バーコードやＩＣタグをカセット金庫14に添付して用いてもよい。この場合には、カセット装着機13の金種読取部44として、バーコードリーダやＩＣタグリーダが用いられる。
【００７７】
また、硬貨計数機12とカセット装着機13とを別体に設けているが、一体化してもよい。
【００７８】
また、カセット金庫14とカセット装着機13との接続形態は、金種情報や硬貨の授受が可能であれば、カセット金庫14がカセット装着機13の内部に挿入されるものに限定されるものではない。
【図面の簡単な説明】
【００７９】
【図１】本発明の一実施の形態を示す硬貨計数機およびカセット装着機で構成される硬貨計数システムのブロック図である。
【図２】同上硬貨計数システムの斜視図である。
【図３】同上硬貨計数システムで硬貨を袋取りする計数モード時の斜視図である。
【図４】同上硬貨計数機の設定金種識別部の構成を(a)(b)に示す正面図である。
【図５】同上設定金種識別部で設定金種を識別する金種とセンサ出力との関係を示す表である。
【図６】同上カセット装着機に装着される第１種類のカセット金庫を示し、(a)は第１種類のカセット金庫の先端面の正面図、(b)は第１種類のカセット金庫の斜視図である。
【図７】同上カセット装着機に装着される第２種類のカセット金庫を示し、(a)は第２種類のカセット金庫の先端面の正面図、(b)は第２種類のカセット金庫の斜視図である。
【図８】同上カセット装着機を示し、(a)はカセット金庫未装着状態の正面図、(b)は第１種類のカセット金庫の装着状態の正面図、(c)は第２種類のカセット金庫の装着状態の正面図である。
【図９】同上カセット装着機の金種判定部によるカセット金庫の種類および金種と各センサ出力との関係を示す表である。
【図１０】同上硬貨計数システムの処理動作を示すフローチャートである。
【符号の説明】
【００８０】
12    硬貨計数機
13    カセット装着機
14    カセット金庫
28    金種設定部
29    モード切換部および計数モード設定手段としてのモード切換ボタン
38    カセット装着機本体
41    カセット装着部
44    金種読取手段としての金種読取部
51    シュート部材
61    制御部
66    情報受付手段および金種情報受付手段としての通信部
73    情報通知手段としての通信部
【図１】
0005339738.tif 000002
【図２】
0005339738.tif 000003
【図３】
0005339738.tif 000004
【図４】
0005339738.tif 000005
【図５】
0005339738.tif 000006
【図６】
0005339738.tif 000007
【図７】
0005339738.tif 000008
【図８】
0005339738.tif 000009
【図９】
0005339738.tif 000010
【図１０】
0005339738.tif 000011